(57)【要約】【課題】電力を計測するには、回路ごとに電圧計測用の専用配線と電流計測用の変流器およびその専用配線がそれぞれ必要であり、また、それらをそれぞれ被計測電路へ固定するとともに計測機器に間違いなく配線を行う必要がある。その際、電流計測器の極性や相識別、電圧計測の相の識別を誤らずに配線する必要があり、これは、非常に注意の必要な作業であり、回路数が多い場合などは特に、誤配線による不具合が多発するという現状が現場では続いていた。【解決手段】先端が導電性の電圧計測部と、クランプ形の電流計測部とを備え、前記電流計測部を被覆した電線にクランプし、前記電線の電流を計測すると共に、クランプ時に前記電圧計測部の先端を、被覆した電線に貫通することで、その先端が前記電線内の導電部に触れることにより、前記電線の電圧を同時に計測する構成である。【選択図】図１
2005134233.tif 000002
【特許請求の範囲】
【請求項１】
導電性の電圧検出部を有し、前記電圧検出部の先端を被計測部の被覆電線を貫通し、その先端が前記電線内の導電部に触れるようにすることにより、前記電線の電圧を計測する計測器。
【請求項２】
導電性の電圧検出部を有し、環状でクランプ形の電流計測部とを備えた計測器であって、前記電圧検出部は前記電流計測部の環状内側面に先端が内側に向くように設けられ、前記電流計測部を被計測部にクランプし、前記電圧検出部の先端が前記被計測部の被覆電線を貫通し、前記電線内の導電部に触れるようにすることにより、前記電線の電流と電圧を計測する計測器。
【請求項３】
電圧検出部は鋭利な形状であり、被覆電線を突きさすことで貫通する請求項１または２記載の計測器。
【請求項４】
平板形状で変形自在なコア部と、前記コア部の少なくとも一部に巻きつけられたコイル部とからなり、被計測部を環状に取り巻いて装着することにより、前記被計測部の電流を計測する電流計測部を備えた計測器。
【請求項５】
平板形状で変形自在なコア部と、前記コア部の少なくとも一部に巻きつけられたコイル部とからなり、被計測部を環状に取り巻いて装着することにより、前記被計測部の電流を計測する電流計測部と、導電性の電圧検出部とを備えた計測器であって、前記電圧検出部は前記電流計測部の環状内側面に先端が内側に向くように設けられ、前記電流計測部を被計測部の被覆電線を環状に取り巻いて装着し、前記電圧検出部の先端が前記電線貫通し、前記電線内の導電部に触れるようにすることにより、前記電線の電流と電圧を計測する計測器。
【請求項６】
電圧検出部は鋭利な形状であり、被覆電線を突きさすことで貫通する請求項５記載の計測器。
【請求項７】
電流計測部は、コア部の外周面に接し両端部に脱着可能な固定部を有する帯状のコア固定部を備え、前記固定部でコア固定部の端部どうしを固定し、前記コア部を環状に固定する請求項４から６のいずれかに記載の計測器。
【請求項８】
平板形状で変形自在なコア部と、弾力性を有し前記コア部の外周面に接して環形状に形成する保持ガイドと、前記コア部の少なくとも一部に巻きつけられたコイル部とからなり、前記コア部と前記保持ガイドはともに環の略同一位置箇所に外力により開口可能な切れ目部を有し、前記切れ目部から被計測部を挿入して環状に取り巻いて前記被計測部の電流を計測する電流計測部を備えた計測器。
【請求項９】
電流計測部は、平板形状で変形自在なコア部と、弾力性を有し前記コア部の外周面に接して環形状に形成する保持ガイドと、前記コア部の少なくとも一部に巻きつけられたコイル部とからなり、前記コア部と前記保持ガイドはともに環の略同一位置箇所に外力により開口可能な切れ目部を有し、前記切れ目部から被計測部を挿入して環状に取り巻いて前記被計測部の電流を計測する電流計測部と、導電性の電圧検出部とを備えた計測器であって、前記電圧検出部は前記電流計測部の環状内側面に先端が内側に向くように設けられ、被計測部を環状に取り巻き、前記電圧検出部の先端が前記電線を貫通し、前記電線内の導電部に触れるようにすることにより、前記電線の電流と電圧を計測する計測器。
【請求項１０】
電圧検出部は鋭利な形状であり、被覆電線を突きさすことで貫通する請求項９記載の計測器。
【請求項１１】
保持ガイドは、切れ目部の位置に、所定間隔に向かい合って径方向に突出した部分を有する請求項８から１０のいずれかに記載の計測器。
【請求項１２】
分割されたコア部と、前記コア部の少なくとも一部に巻きつけられたコイル部とからなり、分割された前記コア部により被計測部を環状に取り巻いて閉磁路を形成して前記被計測部の電流を計測する電流計測部を備えた計測器。
【請求項１３】
分割されたコア部と、前記コア部の少なくとも一部に巻きつけられたコイル部とからなり、分割された前記コア部により被計測部を環状に取り巻いて閉磁路を形成して前記被計測部の電流を計測する電流計測部と、導電性で鋭利な形状を有する電圧検出部とを備えた計測器であって、前記電圧検出部は前記電流計測部の環状内側面に先端が内側に向くように設けられ、分割された前記コア部により被計測部を環状に取り巻き、前記電圧検出部の先端が前記電線を貫通し、前記電線内の導電部に触れるようにすることにより、前記電線の電流と電圧を計測する計測器。
【請求項１４】
電圧検出部は、先端が尖頭形状である請求項１から１３のいずれかに記載の計測器。
【請求項１５】
電圧検出部は、先端が抜け止め防止用の返りのついた請求項１４記載の計測器。
【請求項１６】
電圧検出部は、所定幅を有し、先端部を薄くした刃形状である請求項１から１３のいずれかに記載の計測器。
【請求項１７】
刃部を複数有し、少なくとも２つは径方向に対向させた請求項１４から１６のいずれかに記載の計測器。
【請求項１８】
電圧検出部は、２つの刃部を所定間隔に向かい合わせて形成した請求項１６に記載の計測器。
【請求項１９】
電流計測部と電圧検出部とを分離可能にした請求項２、５、９および１２のいずれかに記載の計測器。
【請求項２０】
導電性で弾性を有する弾性体を備えた電圧検出部と、環状でクランプ形の電流計測部とを備えた計測器であって、前記電圧検出部は前記電流計測部の環状内側面に先端が内側に向くように設けられ、前記電流計測部を被計測部の導電体にクランプし、前記電圧検出部の先端を前記導電部に接触させるようにすることにより、前記導電部の電流と電圧を計測する計測器。
【請求項２１】
接続端子部を備えた電機機器の端子部のカバーと一体化した請求項１から２０のいずれかに記載の計測器。
【請求項２２】
計測した電圧、電流のうち少なくとも１つの情報から、電力、力率、周波数、漏洩電流の少なくとも１つを計算する演算部を有する請求項１から２１のいずれかに記載の計測器。
【請求項２３】
計測した情報または演算した結果を記憶する記憶手段を有することのできる請求項２２記載の計測器。
【請求項２４】
記憶手段は、演算して求めた電力量を積算した積算電力量を記憶する請求項２３記載の計測器。
【請求項２５】
記憶手段に記憶した計測もしくは演算した情報のうち少なくとも１つを表示する表示手段を有する請求項２３または２４記載の計測器。
【請求項２６】
記憶手段に記憶した計測もしくは演算した情報のうち少なくとも１つを外部へ出力するデータ出力部を有する請求項２３から２５のいずれかに記載の計測器。
【請求項２７】
温度センサを内蔵する請求項１から２６のいずれかに記載の計測器。
【請求項２８】
温度ヒューズを内蔵した請求項１から２７のいずれかに記載の計測器。
【請求項２９】
計測した温度情報を記憶する記憶手段と、最大温度を表示する表示部を有する請求項２７記載の計測器。
【発明の詳細な説明】
【技術分野】
【０００１】
本発明は、被測定電路の電流、電圧を測定し、電力量を求める電力量計測技術に関するものである。
【背景技術】
【０００２】
従来、電力計測するために、電圧、電流などの電力諸量を計測するには、次のような方法が用いられていた。すなわち、電圧を測定する場合は、被測定電路の充電部に電圧測定用の専用配線をボルト締結にて固定し、電圧情報を計測部へ送っていた。高圧回路の場合には、計器用変圧器を介して同様の電圧計測を行っていた。被測定電路への配線接続のもう一つの方法として、クランプ式の電圧測定方法があるが、この場合についても、測定電路の充電部をクランプする電圧計測用の専用配線を用いて、測定を行っていた。
【０００３】
次に電流を測定する場合は、上記電圧入力用の配線とは別に被測定電路に計器用変流器を設置し、その２次出力を計測器に送るための専用の電流計測配線が必要であった。
【０００４】
図１９に示すのは、上記した従来の電圧、電流計測器である。図１９において、被計測部である被測定電路１０１の導体１０２の所定位置に、電圧入力用専用配線１０３をボルト締結による固定手段１０４により固定し、被測定電路１０１の導体１０２の電圧を計測し、計測した電圧情報を計測器１０５に送る。また電流入力用専用配線１０６に接続する変流器１０７を被測定電路１０１の導体１０２にクランプし、被測定電路１０１の導体１０２の電流を計測し、計測した電流情報を計測器１０５に送っていた。
【０００５】
なお、この従来例では被測定電路１０１は絶縁被覆部のない導体１０２の場合を示したが、被測定電路１０１に絶縁被覆部を有し、内部に導体部を有する場合は、被覆部を取り除き、導体を露出させて固定手段１０４を取りつける必要があった。
【０００６】
また、被計測部の電流を計測する変流器を備えた計測器の先行技術例として、変流器を取り付ける際の配線間違いがないように変流器に相識別手段を施した技術が特許文献１に示されている。
【特許文献１】特開２０００−７４９４６号公報（図１）
【発明の開示】
【発明が解決しようとする課題】
【０００７】
以上述べたように、電力を計測するには、電圧計測用の専用配線と電流計測用の変流器およびその専用配線がそれぞれ必要であり、また、実際の計測のためには、それらをそれぞれ被計測電路へ固定し計測機器に配線を行う必要があるため、３相電路などへの配線の場合、電流計測器の極性や相識別、電圧計測の相の識別を誤らずに配線する必要があり、これは、非常に注意の必要な作業となり、配線現場においては、誤配線による不具合が多発するという現状が続いていた。
【０００８】
また、計測箇所が多い場合などは配線が多いので、なおさら複雑な作業となり、かつ配線スペースの増大という問題も抱えていた。
【０００９】
本発明は上記課題を解決するもので、電力諸量の計測における誤配線の防止による品質向上、配線部材の削減、省スペース化、作業効率の向上に関するものである。
【課題を解決するための手段】
【００１０】
上記目的を達成するために本発明の計測器は、導電性の電圧検出部を備え、その先端を被計測部の被覆電線に貫通し、電線内の導電部に触れるようにすることにより、電線の電圧を計測するものである。
【００１１】
また特に、電圧検出部は、鋭利な形状をし、被覆電線を貫通させるものである。
【００１２】
また、本発明の計測器は、さらに環状でクランプ形の電流計測部とを備え、電圧検出部を、電流計測部の環状内側面に先端が内側に向くように設け、電流計測部を被計測部の被覆電線にクランプし、電圧検出部の先端が電線を貫通し、電線内の導電部に触れるようにすることで、電線の電流と電圧を計測するものである。
【００１３】
また、本発明の計測器は、平板形状で変形自在なコア部と、その一部に巻きつけられたコイル部とからなり、被計測部を環状に取り巻いて装着することにより、被計測部の電流を計測するものである。また、上記した導電性で鋭利な形状を有する電圧検出部を備え、電圧計測するものである。
【００１４】
また、本発明の計測器は、分割されたコア部と、コア部の少なくとも一部に巻きつけられたコイル部とからなり、分割されたコア部により被計測部を環状に取り巻いて閉磁路を形成して被計測部の電流を計測するものである。また、上記した導電性で鋭利な形状を有する電圧検出部を備え、電圧計測するものである。
【００１５】
また、本発明の計測器は、平板形状で変形自在なコア部と、弾力性を有しコア部の外周面に接して環形状に形成する保持ガイドと、コア部の少なくとも一部に巻きつけられたコイル部とからなり、コア部と保持ガイドはともに環の略同一位置箇所に外力により開口可能な切れ目部を有し、切れ目部から被計測部を挿入して環状に取り巻いて被計測部の電流を計測する電流計測部を備えた計測器。また、上記した導電性の電圧検出部を備え、同時に電圧計測するものである。
【発明の効果】
【００１６】
以上の説明から明らかなように、本発明の電流電圧計測器は、電流、電圧の計測に際し、複雑な配線を不要とし、計測部の機器の一体化と簡単な取付方式を採用することで、計測電力などの電力諸量の計測に際して配線部材の削減、誤配線の防止などの品質向上、省スペース化、作業効率の向上を図ることができる。
【００１７】
特に、従来、計測回路が複数の場合においては、電流計測部の相や極性の区分、電圧の相配置を間違わぬだけでなく、回路間の区別も必要なため非常に複雑な配線となっていたが、この方式によれば、電流と電圧の計測部が一体でかつ出力部も回路ごとにまとまっており、極性や相の配線間違いについても気にする必要がないため、非常に簡単に、信頼性の高い作業を行うことができる。また、作業性の向上や、計測部の省スペース化により、安全作業にも貢献することができる。
【発明を実施するための最良の形態】
【００１８】
（実施の形態１）
以下、本発明の実施の形態１について、図１から図３を用いて説明する。
【００１９】
図１は本発明の実施の形態１における電圧計測器、図２（ａ）は、図１に示した電圧計測器による電圧計測時の概念図、図２（ｂ）および（ｃ）は、それぞれ図２（ａ）で示す電圧計測時の回路概略図を示す。また図３は図２（ａ）の電圧計測時において電圧計測器を被覆電線に固定した部分の断面図を示す。
【００２０】
図１から図３において、１は導電性で先端が尖った針形状をなし、被計測部の導電部に接触させて電圧を計測する電圧検出部を示す。また２は被覆電線などで構成されて、電圧検出部１にて計測された電圧情報を伝達する電圧伝達部、３はコネクタなどにより構成され、電圧情報を受ける電圧出力部を示す。さらに電圧出力部３は計測結果の表示や演算を行う計測表示部４へ接続して実際の計測結果の表示等を行う。これら電圧検出部１、電圧伝達部２、および電圧出力部３により電圧計測器本体５を形成する。
【００２１】
また６は被計測部の被覆電線、７は電圧伝達部２における導体部、８は同電圧伝達部２の被覆部を示す。さらに９は被覆電線６の導体部、１０は同被覆電線６の被覆部を示す。
【００２２】
導体部７は、電圧情報の伝達を行い、被覆部８は、電圧が印加されている導体部を外部から絶縁する事で、伝達精度の向上と、人の接触などによる感電防止作用を有する。
【００２３】
そして図１から図３で示すように、電圧検出部１は、先端を尖った針形状とする事で、被計測部の被覆電線６の被覆部を貫通し、固定するだけで、容易に被覆電線６の内部の導電部９に電圧検出部１を接触させる事ができるため、作業時に充電回路に触ることなく非常に安全かつ簡単な作業で電圧を計測する事が可能な電圧計測器を提供することができる。
【００２４】
なお、本実施の形態において、電線の電圧を計測する時は、先端が尖った針形状の電圧計測器１本を、各被計測部の被覆部を貫通させて導電部に接触させればよい。その際の回路概略図が図２（ｂ）（ｃ）であり、図２（ｂ）は相間電圧、図２（ｃ）は相アース間電圧測定図を示す。
【００２５】
また、電圧計測器５は、被計測回路の被覆電線６の所定の固定部に、テーピング処置や、固定バンドなどの結束冶具による保持を行うことにより、絶縁保護力や物理的な固定力の向上を図ることができ、より安全で信頼性の高い計測部を提供する事ができる。
【００２６】
（実施の形態２）
次に、本発明の実施の形態２について、図４から図１０を用いて説明する。
【００２７】
本実施の形態において実施の形態１と同様の構成については同一の番号を付して重複する詳細な説明を省略する。
【００２８】
図４は本実施の形態における電流電圧計測器の一例を示す。図５は、図４で示す電流電圧計測器による電流電圧計測時の概念図を示す。また、図６は前記電流電圧計測器を被覆電線に固定した部分の断面図を示す。図７から図１０は電圧検出部のその他の一例を示す。
【００２９】
本実施の形態において、実施の形態１と異なる点は、実施の形態１で示した電圧検出部を電流計測器に組み込み、一体化した点である。
【００３０】
図４において、１は実施の形態１と同様先端の尖った針形状とした電圧計測部である。また１１はコアと２次コイルなどから構成された変流機能を有する環形状の電流計測部で、被計測部を取り巻いて開閉可能なクランプ形をなしている。また１２は被覆電線あるいはシールド線などで構成され、電流計測部１１と電圧検出部１にて計測された電流および電圧の情報を伝達する電流電圧伝達部である。また1３はコネクタなどにより構成され、電流および電圧の情報を受ける電流電圧出力部であり、図５に示す計測結果の表示や演算を行う計測表示部４へ接続し、計測表示部４では実際の計測結果の表示等を行う。
【００３１】
以上のように構成された電流電圧計測器について、その動作を説明する。
【００３２】
図５は、電流電圧計測器１４の電流計測部を被計測部の被覆電線６を取り巻いてクランプして設置した状態を示している。このように電流電圧計測器１４を設置する場合、図４の様に電流電圧計測器１４の電流計測部をクランプ状に開いた状態にして被計測回路の被覆電線を取り巻いた後、クランプ部を閉じる事により、被覆電線をクランプする。この際、同時に先端の尖った針形状をなす電圧測定部１が被覆電線６に貫通し、被覆電線６の充電部に達することができる。図６は、図５の、被計測電路の電線６に、電流電圧計測器１４を固定した部分の断面図を示し、電圧検出部１が被計測部の被膜電線６の導電部９に貫通し電圧を計測している様子を示す。
【００３３】
つまり、上記のような構成により電流計測部と電圧計測部とを一度の作業で被計測回路の被覆電線取り付けることができるので、電圧計測回路の作業の際、ボルト締め作業などといった充電部への危険な配線作業を行うことなく安全かつ簡単に間違いのない作業を実施することができる電流電圧計測器を提供することができる。なお、電流計測部１１のクランプ部は、表面に絶縁材料を用いることで、人体の接触による感電事故や、漏電、地絡などによる、計測不具合や事故の防止作用を有する。
【００３４】
また、本実施の形態における電流電圧計測器は、電圧計測部と電流計測部とを一体にしたものであるが、電圧計測部のみを取り外し、電流計測部と分離できる構造であっても良い。これにより電圧と電流の測定を異なる箇所で行なうことができ、被測定対象の状況に応じて対処が可能となる。
【００３５】
また、７に示した電圧検出部は、先端に釣り針のように抜け止め防止用返り１ａをつけることで、抜け止めと、被計測部の充電部との接触面の確保の効果を増すことができる。また図８に示した電圧検出部は、所定の幅を持たせて先端を薄くした刃形状とし、クランプ形の電流電圧計測器１１をクランプした際、被膜電線６に刃形状の電圧検出部１が刺し込まれ、被膜部１０を貫通して導電部９に接触させる。
【００３６】
さらに図９（ａ）に示した電圧計測部は、２つの刃形状部を所定の間隔をあけて向かい合わせ、設置の際に、被計測部の被膜電線６を、向かい合わせた刃形状部によってできる窪み部１ｂに挟み込むことにより、被膜電線６に刃形状部が刺し込まれ、被膜部１０を貫通して導電部９に接触させる。また図９（ｂ）はこの電圧計測部をクランプ形の電流計測器１１と一体化したものであり、クランプ時に刃形状部が被膜電線６の導電部に接触させることができ、電圧と電流を測定する装置が同時に装着できる。また図１０は、図８で示す電圧検出部１の刃形状部を、環状の電流計測器内側に、径方向に対向する側にもう１箇所設けたもので、これにより、電流計測器のクランプ時に確実に刃形状の電圧検出部を被膜電線６の導電部９に接触させることができ、より精確に電圧および電流の測定ができる。
【００３７】
なお、以上に示したものは本実施の形態における実施例を示したもので、これらに限定するものではなく、例えば、図１０で示す刃形状の電圧計測部は２つに限定するものではなく、３つ以上であってもよい。また、図９（ｂ）で示す刃形状のものも同様にして、２つ以上であってもよい。
【００３８】
（実施の形態３）
次に、本発明の実施の形態３について、図１１を用いて説明する。
【００３９】
なお、本実施の形態において実施の形態１および２と同様の構成については同一の番号を付して詳細な説明を省略する。
【００４０】
図１１は本実施の形態で示す電流電圧計測器の実施例を示す。図１１において、１５は被計測回路の導体、１は弾性を有するばね形状の電圧計測部を示す。
【００４１】
本実施の形態の電流電圧計測器は、被計測部が被覆されていない導体であり、電圧検出部１の形状を弾性体であるばね形状とした点が実施の形態２と異なる。
【００４２】
以上のように構成された電流電圧計測器においてその動作を説明する。
【００４３】
電流計測器１１を、電圧および電流の計測を行なう被覆されていない被計測部の導体１５にクランプする。環状の電流電圧計測器１４の内側面には、弾性を有するばね形状の電圧検出部１を備えており、クランプ時に被計測部の導体１５の表面に接触させるように保持する。このように、簡単な作業で誤配線を生じることなく電圧と電流の双方を計測することが可能となる。
【００４４】
なお、電圧検出部１は、弾性を有していれば、ばね形状に限定されることななく、同様の効果を発揮することができる。
【００４５】
また、電圧計測部のばね力を調整すれば、電圧電流計測器自体の導体に対する保持力とすることができるため、電圧電流計測器を導体に固定するための作業も省くことができる。
【００４６】
（実施の形態４）
次に、本発明の実施の形態４について、図１２から図１４を用いて説明する。
【００４７】
なお、本実施の形態において実施の形態1から３と同様の構成については同一の番号を付して詳細な説明を省略する。
【００４８】
図１２は本発明の実施の形態４における電流計測器の一例を示す。図１２において、３１はコア部を示す。このコア部３１は電磁鋼板などから構成されているが、折り曲げ自由な平板形状とするために、構成は１枚の平板ではなく、複数の板を、キャタピラや腕時計の金属ベルト、または鎖などのように、小さなモジュールを織り込むように重ねあわた構成となっている。３２はコイル部を示し、前記コア部３１を周回するように配置されている。３３はコア固定部を示し、前記平板状のコア３１を丸めて環状に変形した時の形状固定を行う。そして、これらにより電流計測部３０を形成している。また３４は電流伝達部、３５は電流出力部を示す。
【００４９】
図１３は、図１２で示した電流計測部３０を丸めて環状に変形させる様子を断面で示した図である。ここで３６は、コア固定部３３を環状に固定するために帯状のコア固定部３３の両側端部に設けている固定部を示す。
【００５０】
図１４は、コア固定部３３を環状に固定し、本実施の形態の電流計測器を使用した時の電流計測器断面を示す。
【００５１】
以上のように構成された電流計測器において、その動作を説明する。
【００５２】
本実施例における電流計測器は、コア部が一体の固定形状ではなく、小さなモジュールを組み合わせて構成されていることから、折り曲げによる変形が自在であり、図１３、１４の様な形状に変形させても、コア部３１に歪を残すことがないので、本来の測定精度を損なうことがない。また、コア部３１を被計測電路のまわりに環状に形成したのち固定するコア固定部３３に設けた固定部３６は、引っ掛け式やマジックテープなどなどの非常に簡単な構成で、確実な作業を実施できることから、変形自在で取り付けやすいと共に、精度の良い電流計測器を提供することができる。
【００５３】
また、上記構成において、図６または図１１に示すように、環状の電流計測部の内側面に先端の尖った針状または弾性を有するばね形状にした電圧検出部を設けて、電流電圧計測器として用いると、容易に電流と電圧を測定する装置を同時に装着することができる。
【００５４】
（実施の形態５）
次に、本発明の実施の形態５について、図１５（ａ）から（ｃ）を用いて説明する。
【００５５】
なお、本実施の形態において実施の形態1から４と同様の構成については同一の番号を付して詳細な説明を省略する。
【００５６】
図１５（ａ）から（ｃ）は本実施の形態の電流電圧計測器の一例を示すもので、図１５（ａ）において、２２は保持ガイドを示す。この保持ガイド２２は弾性を有し、コア部３１の形状を環状に維持している。
【００５７】
本実施の形態と実施の形態２から４との異なる点は、環状の保持ガイド２２をコア部３１の外周面に接して設けた構造としたことである。
【００５８】
本実施の形態では、コア部３１の環形状を維持するために弾性を有する保持ガイド２２を設けることで、通常時には図１５（ａ）に示すようにコア部３１を閉じ、環形状に保持して電流計測することを可能とし、被計測電路に取り付ける際には、保持ガイド２２の弾性を利用してコア部３１の環形状の端部を、図１５（ｂ）に示すようにＦの方向に開き、被計測電路に電流電圧計測器をはめ込む。その後は、保持ガイド２２の弾性によって再びコア部３１を閉じ、電流電圧計測器として用いる。また、図１５（ｃ）に示すように、コア部３１の開口端部に位置する保持ガイド２２に被計測電路の被覆電線６あるいは導体をリング状のコア内に導くためのガイドを設け、更に作業性が向上できる。
【００５９】
また、図１５（ａ）に示すように、本実施の形態においても環形状のコア部３１の内周側面に先端の尖った針形状の電圧検出部１を設けることで、電流、電圧を測定できる装置を同時に装着できる。また、図示しないが電圧検出部１を、弾性を有するばね形状とすることで被覆部を持たない導体に対して同様に、電流、電圧を測定できる装置を同時に装着できる。
【００６０】
（実施の形態６）
次に、本発明の実施の形態６について、図１６から図１８を用いて説明する。
【００６１】
なお、本実施の形態において実施の形態1から５と同様の構成については同一の番号を付して詳細な説明を省略する。
【００６２】
図１６は本実施の形態の電流電圧計測器の使用例の一例を示す。また図１７および１８は本実施の形態の電流電圧計測器の断面図の一例を示す。
【００６３】
本実施の形態と実施の形態２から５との異なる点は、被計測回路に設置されている接続端子部を有する電気機器であるブレーカを利用してその端子部に電流電圧計測器をワンタッチで取り付けられるように構成した点である。
【００６４】
図１６において、１９はブレーカ、２０はブレーカ用カバー、２１はカバー一体型電流電圧計測器である。カバー一体型電流電圧計測器２１は、ブレーカ用カバー２０と形状を合わせることで、ブレーカカバーと同じ位置に取付けることを可能としている。
【００６５】
なお、本実施の形態におけるカバー一体型電流電圧計測器２１は、実施の形態５で説明した図１５（ｃ）で示すような電流電圧計測器を備えており、ブレーカ１９にカバーするとともに電流、電圧を計測する測定する装置を同時に装着できるようにしている。
【００６６】
また、図１７は本実施の形態の別の実施例を示すもので、２３は第１の外装部、２４は第２の外装部を示している。また３１、２５はそれぞれコア部を示し、１は電圧検出器を示す。そして第１の外装部と第２の外装部とを合わせることで、変流機能を有して２相分の電流を計測する電流計測部と３つの電圧計測部を絶縁材料にて図１６と同様、ブレーカカバーに似た形状に一体化して構成されている。
【００６７】
この第１の外装部２３の電流計測部は、コア部３１とコイル部３２とから構成されている。また、電圧検出部１は、第１の外装部２３をブレーカ１９に取り付けた際に、被計測電路の充電部である、３つの端子接続部に弾性を持って接触するようにそれぞれ配置されている。また、第２の外装部２４はコア部２５を２つを絶縁材料にて保持する形で構成され、第１の外装部２３に固定したときに、コア部３１とコア部２５が閉磁路を構成するように構成している。
【００６８】
図１７で示す上記のようなブレーカカバー一体型電流電圧計測器においてその動作を説明する。
【００６９】
まず、被計測回路に設置済みのブレーカ１９に端子部の保護カバーを取り付ける要領で、図１７で示すカバー一体型電流電圧計測器の第１の外装部２３を取り付ける。そして取り付けると同時に、その構成要素である電圧検出部１がブレーカ１９の端子部に弾性を保持しながら接触するため、安定した電圧計測を行うことができる。
【００７０】
次に、第２の外装部２４を第１の外装部２３に固定することで、２相分の電路に対してコア部３１とコア部２５により閉磁路が形成され、電流計測用の変流機能が構成され、電流計測を行うことができる。したがって、非常に簡単な作業でブレーカの充電部を保護すると共に、電流、電圧の両計測を、複雑な配線作業を行うことなく非常に簡単に行うことができる。
【００７１】
さらに、図１８（ａ）から（ｃ）を用いてカバー一体型電流電圧計測器のその他の例について説明する。図１８（ａ）から（ｃ）は、順に変流器部の被計測電路への取付時の動きを示している。そして図１８（ａ）は被計測電路である被覆電線６に装着する前の状態におけるカバー一体型電流電圧計測器、２６は第３の外装部、２５、３１はコア部、３２はコイル部を示す。
【００７２】
このカバー一体型電流電圧計測器では、第３の外装部２６は変流器部は絶縁材料で構成され、また一体に配置されたコア部３１とコイル部３２が、回転自在に配置されている。そして、コア部３１が回転し所定の位置となったときに、コア部２５がコア部３１と合体して被計測電路を周回する閉磁路を形成できるようにしている。
【００７３】
上記のような構成においてその動作を説明する。
【００７４】
図１８（ｂ）に示すように、被計測電路の被覆電線６にカバー一体型電流電圧計測器を押し当てると、その力によりコア部３１は、第３の外装部２６の内部で、コア回転軸２７を中心に回転し、図１８（ｃ）に示すように、被覆電線６を取り巻くようにして、コア部２５とにより閉磁路を形成する。この閉磁路を用い、コイル部３２の変流機能によって被計測回路の電流を簡単に計測することができる。
【００７５】
上記の構成によれば、銅バーなどにて構成された被計測回路に対しても同様に用いることができる。
【００７６】
また、被計測回路が三相３線回路のみではなく、単相回路やその他回路用の機器についても同様の効果を発揮する。
【００７７】
なお図示していないが先端の尖った針形状の電圧検出部をコア部３１の内側に設けておくことで、電線などの被覆部を有する被計測部の電圧を同時に計測することができる。
【００７８】
また、本カバー一体型電流電圧計測器は、電圧もしくは電流のいずれか一方の機能のみで構成してもよい。さらにブレーカーに限らず、被計測回路に設置されており、かつ接続端子部を有する機器については同様の効果を発揮する。
【００７９】
なお、上記した実施の形態２から６のすべての電流計測器においては、１相または２相の電路の電流を計測する例を示したが、計測器を全ての相に設けることにより、漏洩電流まで計測することができ、計測した電圧とから電力量を求める場合には、より精確に算出できる。
【００８０】
また、特に図示していないが、電流電圧計測器に温度センサを内蔵させることにより、状態の異常をより早く計測できる。さらには温度ヒューズを内蔵すれば、接点回路の開閉により異常情報を外部に容易に伝達できる。
【００８１】
また、図示していないが、各実施の形態においては計測器に、計測した電圧、電流情報から、電力、力率、周波数などを演算する演算部を有するようにしてもよい。なお、全ての相に電流計測器を設けることにより、計測した電流情報から、演算部において各相の漏洩電流を同時に求めるようにすることができる。
【００８２】
また、計測器には、計測した電流、電圧、最大温度、演算して求めた電力量、および積算電力量等を記憶するメモリ等の記憶装置、記憶したそれらデータを表示する数値表示部、あるいは計測データ、演算データ等を外部へ出力するデータ出力部を設けることにより、本発明の効果を一層高めることができる。
【００８３】
配電盤、受電盤などにおける電圧、電流計測およびその計測値を用いた電力量測定装置、あるいは広く一般に電気量計測装置として利用できる。
【図面の簡単な説明】
【００８４】
【図１】本発明の実施の形態１における電圧計測器を示す斜視図
【図２】（ａ）本発明の実施の形態１における電圧計測器による電圧計測時の概念図（ｂ）相間電圧計測時の回路概略図（ｃ）相アース間電圧計測時の回路概略図
【図３】本発明の実施の形態１における電圧計測器を被覆電線に固定した部分の断面図
【図４】本発明の実施の形態２における電流電圧計測器を示す斜視図
【図５】本発明の実施の形態２における電流電圧計測器使用時の斜視図
【図６】電流電圧計測器を被覆電線に固定した部分の断面図
【図７】本発明の実施の形態２における電圧検出部のその他の第１の実施例を示す図
【図８】同第２の実施例を示す図
【図９】（ａ）同第３の実施例を示す第１の図（ｂ）同第３の実施例を示す第２の図
【図１０】同第４の実施例を示す図
【図１１】本発明の実施の形態３における電流電圧計測器を示す斜視図
【図１２】本発明の実施の形態４における電流計測器を示す斜視図
【図１３】同第１の断面図
【図１４】同第２の断面図
【図１５】（ａ）本発明の実施の形態５における電流計測器を示す第１の断面図（ｂ）同第２の断面図（ｃ）本発明の実施の形態５における電流電圧計測器のその他の実施例を示す断面図
【図１６】本発明の実施の形態６におけるカバー一体型電流電圧計測器を示す斜視図
【図１７】同断面図
【図１８】（ａ）コア部の回転による磁路形成型変流器を示す第１の断面図（ｂ）同第２の断面図（ｃ）同第３の断面図
【図１９】従来の電流電圧計測器を示す図
【符号の説明】
【００８５】
１    電圧検出部
１ａ  抜け止め防止用かえり
６    被覆電線
１１  電流計測部
１９  ブレーカ
２１  カバー一体化電流電圧計測器
２２  保持ガイド
２５、３１  コア部
３１ａ  切れ目部
３０  電圧検出部
３２  コイル部
３３  コア固定部
３６  固定部
【図１】
2005134233.tif 000003
【図２】
2005134233.tif 000004
【図３】
2005134233.tif 000005
【図４】
2005134233.tif 000006
【図５】
2005134233.tif 000007
【図６】
2005134233.tif 000008
【図７】
2005134233.tif 000009
【図８】
2005134233.tif 000010
【図９】
2005134233.tif 000011
【図１０】
2005134233.tif 000012
【図１１】
2005134233.tif 000013
【図１２】
2005134233.tif 000014
【図１３】
2005134233.tif 000015
【図１４】
2005134233.tif 000016
【図１５】
2005134233.tif 000017
【図１６】
2005134233.tif 000018
【図１７】
2005134233.tif 000019
【図１８】
2005134233.tif 000020
【図１９】
2005134233.tif 000021